(57)【要約】
【課題】比較的容易に作成・入手できる石その他の材質の仏像で、大切なもの等を安心して保管しておける仏像を提供する。
【解決手段】手の平サイズまたは他の大きさの仏像１であって、底部１１に開口１２を有し、該開口から内部が空洞１３になっているとともに、該空洞には容器２が収容され、該容器は前記開口から出し入れ自在になっており、該容器には所望のものを収容保管可能になっている。外部からは収納していることは見えない。取り出し・入れ替えも容易である。
【選択図】図１
0003099507.tif 000002
【実用新案登録請求の範囲】
【請求項１】
仏像であって、底部に開口を有し、該開口から内部が空洞になっているとともに、該空洞には容器が収容され、該容器は前記開口から出し入れ自在になっており、該容器には所望のものを収容保管可能になっていることを特徴とする収納部を有する仏像。
【請求項２】
手の平に載せられる程度の大きさの仏像であって、底部に開口を有し、該開口から内部が空洞になっているとともに、該空洞には容器が収容され、該容器は前記開口から出し入れ自在になっており、該容器には所望のものを収容保管可能になっていることを特徴とする収納部を有する仏像。
【考案の詳細な説明】
【技術分野】
【０００１】
　本考案は仏像に関し、特に収納部を有する仏像に関するものである。
【背景技術】
【０００２】
　仏像は基本的に信仰の対象として敬われるべきものである。よって仏像は宗教的な祭儀の場において礼拝され、あるいは安置されて守りとされる。
【０００３】
　一方仏像は美術的価値を有するものが多いところから、美術品としても扱われ、置きものなどとしても用いられる。元来が信仰の対象であるので、仮に置きものとして用いられる場合であっても、「いやし」あるいは「なごみ」と言った精神の平安がもたらされるものとして、通常、観念される。
【０００４】
　このように仏像は、信仰の対象として敬われると同時に、必ずしも祭壇に安置するのみならず、こころに「いやし」や「なごみ」を与えるものとしてあたかも日用品のごとく日常の座右に置かれる場合もある。
【０００５】
　祭壇に置かれ、または座右に置かれる仏像は、宗教的意義の無い単なる置物と異なり、基本的に信仰の対象であり、また理屈では説明できない不可思議な力を有しているとも考えられているため、何らかの事物を仏像に守っていただきたいとの思いが生じる場合もある。
【０００６】
　たとえば、古来知られている仏像には、その内部、いわゆる「胎内」が空洞になっていて、そこにさらに仏像をお入れしたり（胎内佛）、あるいは経文、またはその他の文書をその「胎内」に入れておいたりすることが知られている。
【０００７】
　現代においても、祭壇や座右に置かれる仏像に大切なものをお守りしていただきたい、あるいは秘密の場所として用いたい、との思いが生じることは無しとしない。
【０００８】
　しかしながら現状では、従来より比較的簡単に入手できる仏像にあっては、このように仏様に守って貰いたいと思う場合があっても、それを可能にするものはなかった。
【非特許文献１】毎日新聞社編『重要文化財』別巻一、二『像内納入品』、毎日新聞社、１９７８
【非特許文献２】倉田文作編『像内納入品』、至文堂『日本の美術』八六
【考案の開示】
【考案が解決しようとする課題】
【０００９】
　解決しようとする問題点は、比較的容易に作成でき、よって比較的簡単に入手できる仏像であって、しかもその仏様とともに、大切な、あるいは何らかの事情のあるものを保管しておける技術を開発することである。
【課題を解決するための手段】
【００１０】
　本考案に係る仏像は、底部に開口を有し、該開口から内部が空洞になっているとともに、該空洞には容器が収容され、該容器は前記開口から出し入れ自在になっており、該容器には所望のものを収容保管可能になっていることを特徴とするものである。
【００１１】
　本考案に係る仏像は、手の平に載せられる程度の大きさの仏像に形成することができる。この場合「手の平に載せられる程度の大きさ」とは、当該仏像を扱う人、ないしは当該仏像を守りとする人の手の平を標準として、個々に定めることができる。一般には、大人の手の平から、幼い子どもの手の平まで、広い範囲で任意に設定できる。特に本件の仏像を、地蔵尊とした場合には、お地蔵様は子どもの守り佛であるとの信仰があるところから、幼い子どもの手の平に載せられる程度の大きさであってよく、ここからさらに大人の手の平に載せられる程度の大きさにまで至ってもよい。
【考案の効果】
【００１２】
　本考案に係る仏像は、底部に開口を有し、該開口から内部が空洞になっている構成をとるので、正面から見た場合は、空洞があることは察知できない。よって美的な印象を損なわないばかりか、一見してはわからない収納場所（秘密の隠し場所）として機能させることができる。
【００１３】
　また本考案に係る仏像は、上述した該空洞には容器が収容され、該容器は前記開口から出し入れ自在になっているので、その容器に所望のものを入れた上で、当該容器を底部の開口から空洞内へしまってしまえばよいので、簡単に所望のものを収納できる。
【００１４】
　従来より一般に知られている胎内佛は、内部は封印され、非破壊的には中のものを取り出すことはできない。これに対し本考案に係る仏像は、仏像自体の底部から任意に出し入れできる容器を備えていて、この容器内に所望のものを収納するので、最初の収納保管も容易であり、その後の出し入れにより、必要なときには簡単に取り出すこともできる。容器を取り出すと、当該容器内に所望のものを入れることができので、入れ替えることも容易である。
【００１５】
　このように、容器内に所望のものを入れた状態で、当該容器を本発明に係る仏像の内部空洞内に戻して収納できる。これにより、本発明に係る仏像の内部空洞内（仏像の胎内）に所望のものを入れておくことが可能となるのである。
【００１６】
　本考案に係る仏像の内部に保管し収納できるものは、大きさの限度と、変質のおそれ等の性質上の問題点さえなければ、任意である。
【００１７】
　たとえば、貴重なもの、メモリアルとなるもの、その他任意のものを収納できる。たとえば、さらに仏像を入れて胎内仏とすることができる。分骨した遺骨、遺髪等を入れておくことができる。遺言を入れておくなど、将来に要するものを保管できる。あるいは後に取り出すべきものを入れて、タイムカプセル的に用いることができる。
【００１８】
　本考案によれば、単なる収納保管場所という感覚ではなく、大切なものを仏様に守っていただくという思いが付随するので、収納保管と同時に秘密保持・保管の安心感・「いやし」や「なごみ」という心理的要因が大きく働き、自然科学的尺度で測る場合を超えた効用がもたらされる。
【考案を実施するための最良の形態】
【００１９】
　以下に、本考案の好ましい実施の形態を、図1ないし図３を参照して説明する。ただし当然のことではあるが、本考案は以下述べる実施例に限定を受けるものではない。
【実施例１】
【００２０】
　図１ないし図３に示すのは、本考案の仏像の一実施例を示すものである。図１は、本考案の仏像の分解斜視図、図２は仏像を正面から見た正面図、図３は仏像をやや斜め上方から見た斜視図である。符号１で、仏像の本体を示す。仏像の本体１は、本実施例では石造りであり、特にみかげ石製である。この実施例は石仏としたが、その他金属、貴金属、プラスチック、陶器、ガラス、木製など、任意の素材により形成してよい。また本実施例の仏像は、お地蔵様とし、大きさは、高さが１５ｃｍ程度の、大人の手の平に乗る程度の大きさとした。本出願人による「手乗り地蔵」（商品名）としたものである。ただし、材質と同様、大きさについても大小各種、任意に形成してよいことは当然である。収納保管すべき物の大きさに応じて、いかようにも設計できる。
【００２１】
　正面図である図２、また、斜視図である図３を見て理解できるように、外見上は、通常の仏像と変わらない。よって、特にこの仏像が保管収納の機能を備えているとは、一見してではわからない。
【００２２】
　図１に示すように、この仏像は、その本体１の底部１１に開口１２を有する。この開口１２から内部が空洞１３になっている。この空洞１３が、いわゆる「胎内」に該当する。この空洞１３には容器２が収容され、該容器２は前記した開口１２から出し入れ自在になっている。
【００２３】
　図１では、容器２が外部に出された状態で示してある。この容器２内に、前述したような各種のものを所望に応じて入れて、さらにその容器２を開口１２から仏像の本体１の空洞１３に収容することにより、上記所望のものを仏像内に収容保管するのである。
【００２４】
　容器２は仏像の本体１の開口１２から出し入れ自在になっているので、取り出しも、入れ替えも、容易に達成できる。
【００２５】
　図示例では、容器２は収納部をなす容器本体２１と、蓋部２２とからなるが、この構成は任意である。空洞１３に収容でき、かつ、内部に所望のものを収納できる形・大きさであればよい。図示例の容器２はほぼ円筒形であるが、形状も任意である。蓋部２２が無くてもよい構成にもできる。
【図面の簡単な説明】
【００２６】
【図１】本考案の仏像の一例の分解斜視図である。
【図２】本考案の仏像の一例の仏像を正面から見た正面図である。
【図３】本考案の仏像の一例をやや斜め上方から見た斜視図である。
【符号の説明】
【００２７】
　１　　仏像（の本体）
　１１　（仏像の）底部
　１２　（仏像の底部の）開口
　１３　（仏像の）空洞
　２　　容器
　２１　容器本体
　２１　（容器の）蓋部
【図１】
0003099507.tif 000003
【図２】
0003099507.tif 000004
【図３】
0003099507.tif 000005